(57)【要約】本開示は、粒子の表面に固定された特異的結合物質の劣化が低減される修飾粒子を提供する。本開示による修飾粒子（１００）は、粒子（１０）と、被検出物質と特異的に結合する性質を有し、粒子（１０）の表面に固定された特異的結合物質（２０）と、粒子（１０）の表面にアミド結合による固定されているアミノ糖分子（３０）と、を含む。
2020129404.tif 000002
【特許請求の範囲】
【請求項１】
粒子と、
被検出物質と特異的に結合する性質を有し、前記粒子の表面に固定された特異的結合物質と、
前記粒子の表面にアミド結合により固定されているアミノ糖分子と、を含む、
修飾粒子。
【請求項２】
前記粒子は、
基材と、前記基材の表面の少なくとも一部を覆う有機膜と、を含み、
前記アミノ糖分子は、前記有機膜に前記アミド結合により固定されている、
請求項１に記載の修飾粒子。
【請求項３】
さらに、前記有機膜の少なくとも一部を覆い、前記有機膜における所定の分子との相互作用を阻害するブロッキング剤を含む、
請求項２に記載の修飾粒子。
【請求項４】
前記有機膜は、自己組織化単分子膜である、
請求項２、または請求項３に記載の修飾粒子。
【請求項５】
前記基材は蛍光体を含む、
請求項２から請求項４のいずれか一項に記載の修飾粒子。
【請求項６】
前記基材は常磁性体または誘電体を含む、
請求項２から請求項４のいずれか一項に記載の修飾粒子。
【請求項７】
粒子を準備する準備工程と、
被検出物質と特異的に結合する特異的結合物質を前記粒子の表面に固定する固定工程と、
アミノ糖分子をアミド結合により前記粒子の表面に固定する糖固定工程と、を含む、
修飾粒子の製造方法。
【請求項８】
前記特異的結合物質と前記アミノ糖分子とを含む溶液と、前記粒子とを混合することにより、前記固定工程、および前記糖固定工程を実施する、
請求項７に記載の修飾粒子の製造方法。
【請求項９】
請求項１から請求項６のいずれか一項に記載の修飾粒子を収容する収容部と、
前記修飾粒子が特異的に結合する被検出物質を含み得る試料を前記収容部に導入する導入部と、
前記修飾粒子が結合した前記被検出物質の量に基づく検出信号を出力する検出器と、を備える、
検出装置。
【発明の詳細な説明】
【技術分野】
【０００１】
本開示は、試料中の被検出物質を検出するための修飾粒子、修飾粒子の製造方法および検出装置に関する。
【背景技術】
【０００２】
近年、医療や生化学の分野では、抗体等の生理活性物質（以下、特異的結合物質）を利用したバイオセンサが使用されている。【０００３】
例えば特許文献１では、被検出物質を捕捉するための特異的結合物質を基質に吸収、または結合させ、捕捉された被検出物質の有無を検出するための特異的結合物質を基質上に配置して凍結乾燥により都度使用可能に構成された検定キットが開示されている。
【先行技術文献】
【特許文献】
【０００４】
【特許文献１】特表平０４−５０３４０４号公報
【発明の概要】
【発明が解決しようとする課題】
【０００５】
ところで、特異的結合物質を利用した別の手法として、粒子状の基材を用いる手法もある。これは、特異的結合物質をあらかじめ結合させた粒子状の基材を被検出物質に結合させ、被検出物質に結合した粒子状の基材の特性に応じて様々な検出方法により被検出物質の存在の有無、および存在量を検出するものである。上記の手法においては、被検出物質の存在量などの微細な変化を検出する必要があり、検出の高感度化がしばしば求められる。【０００６】
そこで本開示は、被検出物質を検出する際の検出の高感度化を実現可能な修飾粒子等を提供する。
【課題を解決するための手段】
【０００７】
本開示の一態様に係る修飾粒子は、粒子と、被検出物質と特異的に結合する性質を有し、前記粒子の表面に固定された特異的結合物質と、前記粒子の表面にアミド結合により固定されているアミノ糖分子と、を含む。
【発明の効果】
【０００８】
本開示によれば、検出の高感度化を実現可能な修飾粒子等が提供される。
【図面の簡単な説明】
【０００９】
【図１】図１は、実施の形態に係る修飾粒子の一例を示す概略図である。
【図２】図２は、実施の形態に係る修飾粒子の製造方法の一例を示すフローチャートである。
【図３】図３は、実施の形態に係る検出装置の一例を示す概略構成図である。
【図４】図４は、検出装置に用いられる際の修飾粒子について説明する図である。
【図５】図５は、実施の形態に係る、検出装置から出力される２次元画像の一例について模式的に説明する図である。
【図６】図６は、実施例に係る修飾粒子の吸着試験の試験方法について説明する図である。
【図７】図７は、実施例に係る修飾粒子の吸着試験の結果について説明する図である。
【発明を実施するための形態】
【００１０】
（開示の基礎となった知見）
特異的結合物質は、熱、または乾燥によりダメージを受けやすい。例えば、熱、または乾燥により特異的結合物質の構造の一部が変性して、機能が低下する。これは、特異的結合物質をセンサ基板や粒子の表面に固定して用いる場合にしばしば問題となる。このような特異的結合物質の機能低下は、被検出物質の検出における検出感度の低下に直結するため、可能な限り機能低下を抑えることが望ましい。
【００１１】
そこで、特許文献１では、被検出物質を捕捉するための特異的結合物質と、捕捉された被検出物質の有無を検出する特異的結合物質とを基質上に配置し、凍結乾燥により都度使用可能に構成された検定キットが開示されている。凍結乾燥により、特異的結合物質はある程度長期間の保存に耐え、使用時に溶液を添加することで即時に使用可能な状態へと復元することができる。
【００１２】
しかしながら、上記従来の検定キットは、凍結乾燥を用いて製造されるが、特異的結合物質の種類によっては、凍結乾燥に適合しない種類の物質もあり、一概に上記の効果が享受できるとはいえない。そのため、従来の検査キットは、特異的結合物質を機能低下から保護する効果が十分とはいえない。特に、特異的結合物質の構造的および機能的な劣化（以下、特異的結合物質の劣化）により、試料中の夾雑物などが特異的結合物質の劣化した部分に非特異的に吸着、または結合すること（以下、非特異的吸着）が起こり得る。さらに、上記技術を、特異的結合物質を固定した粒子状の基材を用いる手法に適用した場合、粒子状の基材同士の非特異的吸着による凝集、および粒子状の基材が収容される空間を規定する構造体への非特異的吸着が増加するという問題がある。
【００１３】
そこで、本開示は、粒子の表面に固定された特異的結合物質の劣化が低減される修飾粒子、および当該修飾粒子の製造方法を提供する。また、本開示は、当該修飾粒子を用いることにより、被検出物質を検出することができる検出装置を提供する。
【００１４】
（開示の概要）
本開示の一態様の概要は、以下のとおりである。
【００１５】
本開示の一態様に係る修飾粒子は、粒子と、被検出物質と特異的に結合する性質を有し、前記粒子の表面に固定された特異的結合物質と、前記粒子の表面にアミド結合により固定されているアミノ糖分子と、を含む。
【００１６】
これにより、アミノ糖分子は、粒子の表面に安定に固定される。粒子の表面に安定に固定されたアミノ糖分子は、液中で粒子の表面から脱離しない。そして、アミノ糖分子が有するヒドロキシ基（ＯＨ基）が水分子の代わりに作用するため、特異的結合物質の疎水部が露出することなく、劣化が低減される。また、このように粒子の表面において特異的結合物質の劣化が低減されることによって、修飾粒子同士、または検出における修飾粒子が接触する可能性のある箇所と修飾粒子との相互作用を抑制し、これらの非特異的吸着が阻害される。よって、被検出物質の検出を高感度化できる。
【００１７】
例えば、本開示の一態様に係る修飾粒子は、基材と、前記基材の表面の少なくとも一部を覆う有機膜と、を含み、前記アミノ糖分子は、前記有機膜に前記アミド結合により固定されていてもよい。
【００１８】
これにより、容易にアミノ糖分子とのアミド結合を形成できる有機膜を選択することにより、表面にアミノ糖分子が配置された修飾粒子を容易に構成することが可能である。
【００１９】
例えば、本開示の一態様に係る修飾粒子は、前記有機膜の少なくとも一部を覆い、前記有機膜における所定の分子との相互作用を阻害するブロッキング剤を含んでもよい。
【００２０】
これにより、被検出物質を検出する際に、粒子同士、および粒子の表面における夾雑物などの非特異的吸着を低減することができる。そのため、非特異的吸着により生じるノイズ（すなわち、非特異的吸着ノイズ）が低減され、被検出物質を精度良く検出することができる。
【００２１】
例えば、本開示の一態様に係る修飾粒子では、前記有機膜は、自己組織化単分子膜であってもよい。
【００２２】
これにより、特異的結合物質およびアミノ糖分子は、自己組織化した有機膜と容易に結合することができる。そのため、特異的結合物質およびアミノ糖分子は、粒子の表面に容易かつ安定に固定される。
【００２３】
例えば、本開示の一態様に係る修飾粒子では、前記基材は蛍光体を含んでもよい。
【００２４】
これにより、被検出物質と特異的な結合を形成した修飾粒子を、蛍光を用いた光学的手法によって検出できる。
【００２５】
例えば、本開示の一態様に係る修飾粒子では、前記基材は常磁性体または誘電体を含んでもよい。
【００２６】
これにより、被検出物質と特異的な結合を形成した修飾粒子を、磁場または電場により移動させるなどの手法によって検出できる。
【００２７】
また、本開示の一態様に係る修飾粒子の製造方法は、粒子を準備する準備工程と、被検出物質と特異的に結合する特異的結合物質を前記粒子の表面に固定する固定工程と、アミノ糖分子をアミド結合により前記粒子の表面に固定する糖固定工程と、を含む。
【００２８】
これにより、粒子が保存液中でも、特異的結合物質が劣化することを低減でき、検出等に用いた際に粒子同士、または検出における粒子が接触する可能性のある箇所と粒子との吸着を低減できる修飾粒子を得ることができる。
【００２９】
例えば、本開示の一態様に係る修飾粒子の製造方法では、前記特異的結合物質と前記アミノ糖分子とを含む溶液と、前記粒子とを混合することにより、前記固定工程、および前記糖固定工程を実施してもよい。
【００３０】
これにより、固定工程、および糖固定工程をワンステップで（まとめて）実施でき、製造工程における工数の削減ができる。
【００３１】
また、本開示の一態様に係る検出装置は、上記のいずれかに記載の修飾粒子を収容する収容部と、前記修飾粒子が特異的に結合する被検出物質を含み得る試料を前記収容部に導入する導入部と、前記修飾粒子が結合した前記被検出物質の量に基づく検出信号を出力する検出器と、を備える。
【００３２】
これにより、検出装置は、修飾粒子を用いて、試料中から被検出物質の存在、または存在量を検出可能な検出装置を実現できる。
【００３３】
なお、これらの包括的、または具体的な態様は、システム、方法、集積回路、コンピュータプログラム、またはコンピュータにより読み取り可能なＣＤ−ＲＯＭなどの記録媒体で実現されてもよく、システム、方法、集積回路、コンピュータプログラムおよび記録媒体の任意な組み合わせで実現されてもよい。
【００３４】
以下、本開示の実施の形態に関して図面を参照しながら説明する。
【００３５】
なお、以下で説明する実施の形態は、いずれも包括的または具体的な例を示すものである。以下の実施の形態で示される数値、形状、材料、構成要素、構成要素の配置位置、および接続形態、ステップ、ステップの順序などは、一例であり、請求の範囲を限定する主旨ではない。また、以下の実施の形態における構成要素のうち、最上位概念を示す独立請求項に記載されていない構成要素については、任意の構成要素として説明される。
【００３６】
なお、各図は、必ずしも厳密に図示したものではない。各図において、実質的に同一の構成については同一の符号を付し、重複する説明は省略または簡略化する。
【００３７】
また、本明細書において、平行などの要素間の関係性を示す用語、および、矩形などの要素の形状を示す用語、ならびに、数値、および、数値範囲は、厳格な意味のみを表す表現ではなく、実質的に同等な範囲、例えば数％程度の誤差等の差異も含むことを意味する表現である。
【００３８】
（実施の形態）
［修飾粒子の構成］
図１は、本実施の形態に係る修飾粒子１００の一例を示す概略図である。図１には、修飾粒子１００の断面が示され、修飾粒子１００のうち紙面下側の一部は図示を省略されている。
【００３９】
図１に示すように、修飾粒子１００は、粒子１０と、特異的結合物質２０と、アミノ糖分子３０と、を含む。特異的結合物質２０は、被検出物質と特異的に結合する性質を有し、粒子１０の表面に固定されている。また、アミノ糖分子３０は、粒子１０の表面にアミド結合により固定されている。
【００４０】
粒子１０は、その表面に、特異的結合物質２０、およびアミノ糖分子３０を結合可能なものであれば、その大きさは特に限定されない。
【００４１】
粒子１０の大きさは、例えば直径が１ｎｍ以上１０μｍ以下である。粒子には、公知の表面処理技術を用いて、その表面にカルボキシ基を導入する。これにより、粒子１０は、その表面に、アミノ糖分子３０を結合させることができる。カルボキシ基が導入された粒子は、
アミノ基が導入された粒子と比較して、抗体などの特異的結合物質２０との結合性が高いという利点もある。
【００４２】
また、粒子１０は基材１１と、基材１１の表面の少なくとも一部を覆う有機膜と、を含む。より詳しくは、粒子１０の表面は、特異的結合物質２０の固定の容易性の観点、および、特異的結合物質２０と被検出物質との反応性の観点から、特異的結合物質２０と基材１１との距離を適切に確保することが可能な分子（リンカー）によって構成されてもよい。このリンカーは有機膜によって構成されるが、有機膜でなくてもよい。このようなリンカーとなり得る分子は、通常、リンカーが結合される表面の荷電特性などに従って選択される。
【００４３】
本実施の形態におけるリンカーとなり得る分子は、例えば、アルカンチオールなどの自己組織化単分子膜（ＳＡＭ１２）を形成するような分子によって構成されるが、これに限られない。例えば、基材１１の特性に応じてシランカップリング剤、ポリエチレングリコール鎖（ＰＥＧ鎖）を含む親水性ポリマー、および、リン脂質極性基を有するＭＰＣ（２−メタクリロイルオキシエチルホスホリルコリン）の重合体であるＭＰＣポリマーなどが挙げられる。また、これらのリンカー分子は、基材１１表面に結合される際に、基材１１表面に形成された金属などを介して結合されてもよい。
【００４４】
金属の材料としては、例えば、金、銀、アルミニウム、銅、白金等の金属のうち少なくとも一種類の金属、またはそれらの合金を用いることができる。なお、金属の材料は、これらに限定されない。
【００４５】
基材１１の材質は、例えば、石英、ガラス、シリカ、およびセラミックスなどの無機材料、ならびにポリスチレン、ポリカーボネートおよびシクロオレフィンポリマーなどの樹脂、ならびにハイドロゲル、アガロース、セルロース、およびイソプレンなどのゴム材料を含む天然材料、ならびに鉄、金、アルミナ、および銀などの金属材料などが挙げられる。
【００４６】
また、基材１１は蛍光体を含んで構成されてもよい。蛍光体とは、励起光が照射されることによって励起光とは異なる波長を有する蛍光を放射する物質であり、例えば、フルオレセイン、およびその誘導体に代表される有機色素、ならびに緑色蛍光タンパク質等の生物学的蛍光分子を用いることができる。また蛍光体として放射蛍光の発光特性を設計可能な量子ドットを用いてもよい。
【００４７】
また、基材１１は、常磁性体または誘電体を含んで構成されてもよい。常磁性体としては、例えば、酸化鉄等、誘電体としては、ポリスチレン等、を用いることができるが、これらに限定されない。
【００４８】
前述したように、本実施の形態では、有機膜は、リンカーとなり得るＳＡＭ１２から構成される。このとき、特異的結合物質２０は、ＳＡＭ１２に結合されることにより、粒子１０の表面に固定されている。また、アミノ糖分子３０は、ＳＡＭ１２にアミド結合により固定されている。このように、粒子１０が基材１１上にＳＡＭ１２を含むことにより、特異的結合物質２０およびアミノ糖分子３０は粒子１０の表面に安定に固定される。粒子１０の表面に安定に固定されたアミノ糖分子３０は、修飾粒子１００の洗浄等の工程を経ても、表面から離脱しない。そして、アミノ糖分子３０が有するヒドロキシ基（ＯＨ基）が水分子の代わりに作用するため、修飾粒子１００を含む溶液が乾燥された場合も、特異的結合物質の乾燥による劣化が低減され、修飾粒子１００を実際に使用する、被検出物質の検出において、検出の高感度化が実現できる。またこのように、特異的結合物質２０の安定性が増すため、修飾粒子１００の取り扱いの容易性が向上する。
【００４９】
また、本実施の形態では、前述したように有機膜は、ＳＡＭ１２を形成するリンカー分子によって構成される。ＳＡＭ１２を形成する単分子としては、例えば、炭素原子数４以上、かつ２０以下程度のカルボキシアルカンチオール、中でも、１０−カルボキシ−１−デカンチオールを用いてもよい。炭素原子数４以上、かつ２０以下程度のカルボキシアルカンチオールを用いて形成されたＳＡＭ１２は、透明性が高く、屈折率が低く、膜厚（つまり基材１１表面から粒子１０の表面までの距離）が薄いなどの性質を有している。このため、修飾粒子１００を用いた検出において、光学的な影響が少ない。ＳＡＭ１２の一端は、基材１１の表面と結合可能な官能基であればよく、例えばチオール基である場合、基材１１の表面に存在する金に対して結合することで粒子１０が形成される。また、ＳＡＭ１２の他端は、特異的結合物質２０およびアミノ糖分子３０と結合可能なカルボキシ基を有していればよい。このようにＳＡＭ１２は末端にカルボキシ基を有するため、特異的結合物質２０およびアミノ糖分子３０は、ＳＡＭ１２と容易に結合を形成することができる。さらに、アミノ糖分子３０はアミド結合により固定される。これにより、特異的結合物質２０およびアミノ糖分子３０は、粒子１０の表面に安定に固定される。
【００５０】
特異的結合物質２０は、被検出物質と特異的に結合する物質である。被検出物質は、例えば、タンパク質、脂質、糖、核酸などであり、検出したい対象のウイルス粒子、微生物、細菌などの産生する、またはこれらを構成する分子種である。特異的結合物質２０は、例えば、抗原に対する抗体、基質、または補酵素に対する酵素、ホルモンに対するレセプタ、抗体に対するプロテインＡ、またはプロテインＧ、ビオチンに対するアビジン類、カルシウムに対するカルモジュリン、糖に対するレクチン、等が挙げられる。また、被検出物質が核酸である場合、当該核酸と特異的に結合する配列を有する（相補鎖の）核酸が特異的結合物質２０として使用されてもよい。
【００５１】
例えば、特異的結合物質２０が抗体等のタンパク質である場合、当該タンパク質を構成する複数のアミノ酸の中には、その側鎖にカルボキシ基やアミノ基、チオール基を有するものがある。それらの官能基と粒子１０とを化学結合させる、または、それらの官能基をアビジン修飾し、さらに粒子１０をビオチン修飾した後、アビジン−ビオチン結合により特異的結合物質２０と粒子１０とを結合させてもよい。なお、特異的結合物質２０がタンパク質である場合、Ｎ末端に存在するアミノ基、およびＣ末端に存在するカルボキシ基を利用してもよい。
【００５２】
また、特異的結合物質２０と粒子１０とをより効率よく結合させるために、特異的結合物質２０と粒子１０との結合反応を促進させる物質を用いて官能基の活性化処理を行ってもよい。当該活性化処理の方法としては、例えば、１−エチル−３−（−３−ジメチルアミノプロピル）カルボジイミド塩酸塩（ＥＤＣ）、およびＮ−ヒドロキシコハク酸イミド（ＮＨＳ）を用いてもよい。これは、ＳＡＭ１２および特異的結合物質２０の一方の有するカルボキシ基を活性エステル化させ、当該活性エステル化されたカルボキシ基と、特異的結合物質２０およびＳＡＭ１２の他方の有するアミノ基とを結合させる方法である。また、当該活性化処理の方法は、例えば、グルタルアルデヒド等の複数のアルデヒド基をもつ物質を用いて、ＳＡＭ１２のアミノ基と、特異的結合物質２０のアミノ基とを結合させる方法であってもよい。
【００５３】
なお、特異的結合物質２０を粒子１０に固定する方法は、特異的結合物質２０が失活しない（特異的結合能を失わない）固定方法であれば、他の公知の方法を用いてもよい。
【００５４】
アミノ糖分子３０は、アミノ基を有する糖である。アミノ糖分子３０は、その分子中にアミノ基を有することにより、粒子１０の表面にアミド結合により固定される。本実施の形態では、粒子１０は、表面にＳＡＭ１２（有機膜）を有し、カルボキシ基を有する。したがって、アミノ糖分子３０の有する、アミノ基と、ＳＡＭ１２の有する、カルボキシ基とにより、アミド結合は、カルボキシ基、およびアミノ基の反応により形成される。これにより、アミノ糖分子３０は、ＳＡＭ１２とアミド結合である共有結合により固定される。共有結合は、化学結合の中でも結合力が強い。そのため、アミノ糖分子３０は、粒子１０の表面に、より安定に固定される。このように安定に固定されたアミノ糖分子３０の保水性により、修飾粒子１００の表面を乾燥から保護し、特異的結合物質２０の構造的および機能的な劣化が低減されるため、修飾粒子１００の保存安定性を高めることができる。
【００５５】
また、アミノ糖分子３０は、単糖だけでなく、二糖類、または３個以上の単糖から構成される少糖類（いわゆるオリゴ糖）、もしくは多糖類（いわゆるグリカン）であってもよい。また、アミノ糖分子３０は、シアル酸のように１つの分子中にアミノ基以外の官能基を有していてもよい。また、アミノ糖分子３０は、例示したアミノ糖分子の塩であってもよい。アミノ糖分子３０は、好ましくは、単糖または二糖類である。
【００５６】
具体的には、アミノ糖分子３０は、例えば、グルコサミン、マンノサミン、ガラクトサミン、シアル酸、アミノウロン酸、もしくはムラミン酸等のアミノ基を有するアミノ糖、または、キトサンなどのアミノ基を有する多糖類等であってもよく、これらの塩であってもよい。なお、上記のアミノ糖分子３０にＤ型、またはＬ型の鏡像異性体が存在する場合、いずれを用いてもよい。アミノ糖分子３０は、好ましくは、グルコサミンである。
【００５７】
これらのアミノ糖分子３０を粒子１０の表面に固定する方法は、特異的結合物質２０と同様の方法を用いてもよい。なお、アミノ糖分子３０は、粒子１０の表面にアミド結合により固定できるアミノ糖分子であれば特に限定されず、上述した糖以外の公知の糖を用いてもよい。
【００５８】
アミノ糖分子３０が、粒子１０の表面にアミド結合により固定されていることは、修飾粒子１００にトリプシンなどのプロテアーゼを作用させて得られた分解物に、アミノ糖分子３０由来の赤外吸収ピークが存在することによって確認できる。
【００５９】
また、本実施の形態に係る修飾粒子１００は、さらに、粒子１０の表面の少なくとも一部を覆い、修飾粒子１００のＳＡＭ１２における他の分子との相互作用を阻害するブロッキング剤を含んでもよい。ブロッキング剤は、被検出物質を含み得る試料中の夾雑物などが粒子１０の表面に非特異的に吸着、または結合する相互作用（つまり、非特異的吸着）を阻害する物質である。夾雑物は、例えば、修飾粒子を構成する分子を除くタンパク質、脂質、糖、ペプチド、核酸などの所定の分子である。
【００６０】
ブロッキング剤は、本実施の形態ではエタノールアミン４０として説明されるが、これに限られない。例えば、スキムミルク、フィッシュゼラチン、ウシ血清アルブミン（ＢＳＡ）、界面活性剤、カゼイン、プロタミン、ポリエチレングリコール（ＰＥＧ）等であってもよい。ブロッキング剤は、少なくとも、粒子１０の表面で特異的結合物質２０およびアミノ糖分子３０が固定されていない領域（つまり、隙間領域）を覆うものであればよい。
【００６１】
このようなブロッキング剤により、被検出物質を検出する際に、粒子１０の表面における非特異的吸着を阻害することができる。そのため、非特異的吸着により生じるノイズ（すなわち、非特異的吸着ノイズ）が低減され、被検出物質を検出する際に検出を高感度化することができる。
【００６２】
なお、本開示内ではブロッキング処理とは、上述のように非特異的吸着を阻害するための処理をいう。ブロッキング処理により、非特異的吸着による被検出物質の検出への影響を低減することができる。ブロッキング処理では、特異的結合物質２０およびアミノ糖分子３０を粒子１０の表面に固定した後に、エタノールアミン４０を粒子１０の表面に固定するとよい。
【００６３】
より具体的には、特異的結合物質２０、およびアミノ糖分子３０を粒子１０に固定した後、エタノールアミン４０を含む溶液を添加することにより、溶液中のエタノールアミン４０を粒子１０の表面に固定させる。エタノールアミン４０を含む溶液は、所定の時間（例えば十分に隙間領域を覆うための反応時間）反応に供した後、余剰の（固定されていない）エタノールアミン４０を含むため外液交換等により除去される。なお、ブロッキング剤が反応において十分に固定される場合は、特異的結合物質２０、およびアミノ糖分子３０の固定と同時にブロッキング処理を行ってもよい。
【００６４】
［修飾粒子の製造方法］
図２は、本実施の形態に係る修飾粒子１００の製造方法の一例を示すフローチャートである。
【００６５】
図２の（ａ）に示すように、修飾粒子１００の製造方法では、［１］粒子１０を準備する準備工程（Ｓ１０１）と、［２］反応性官能基を活性化させる活性化工程（Ｓ１０２）とを実施する。なお、活性化工程は、当該活性化工程に続く固定工程、および糖固定工程の反応効率を上昇させるために実施する。したがって、反応性官能基の選択等により、十分な反応性を有する反応性官能基が導入されている場合等、活性化工程が不要な場合もある。
【００６６】
また、修飾粒子１００の製造方法は、［３］被検出物質と特異的に結合する特異的結合物質２０を粒子１０の表面に固定する固定工程（Ｓ１０３）と、［４］アミノ糖分子３０をアミド結合により粒子１０の表面に固定する糖固定工程（Ｓ１０４）と、を含む。
【００６７】
さらに、［５］未反応の反応性官能基については、非特異的吸着に寄与することが考えられるため、修飾粒子１００の製造方法では、ブロッキング処理を行うブロッキング工程（Ｓ１０５）を実施してもよい。なお、未反応の反応性官能基が形成されない（残存しない）固定工程、および糖固定工程の条件を設定できる場合は当該ブロッキング工程を実施しなくてもよい。
【００６８】
以下、修飾粒子１００の製造方法をより具体的に説明する。
【００６９】
［１］修飾粒子１００の製造方法における準備工程（Ｓ１０１）は、例えば、以下の３つのサブステップを含む。第１サブステップは、基材１１を準備する工程である。第２サブステップは、当該基材１１上にＳＡＭ１２を形成する工程である。
【００７０】
以下、それぞれのサブステップについて、より具体的に説明する。
【００７１】
第１サブステップでは、例えば、基材１１の材料が樹脂材料である場合、重合等の公知の合成技術を用いて基材１１を形成する。また、基材１１の材料が金属や常磁性体であっても、公知の合成技術を用いて基材１１を形成する。
【００７２】
続いて、第２サブステップでは、基材１１の表面（例えば、金属が形成された表面）にＳＡＭ１２を形成させる。ＳＡＭの形成方法は、特に限定されず、通常行われている方法を用いるとよい。例えば、金属がその表面に形成された基材１１を、炭素原子数４以上、かつ２０以下程度のカルボキシアルカンチオール（例えば、１０−カルボキシ−１−デカンチオールなど）を含むエタノール溶液に浸漬する方法などが挙げられる。
【００７３】
当該方法では、カルボキシアルカンチオール（以下、単分子）のチオール基が金属と結合することにより、単分子が金属基材の表面に固定され、それらの固定された単分子が、金属の表面上で相互作用により自己組織化し、膜形成する。以上により、基材１１の表面にＳＡＭ１２が配置された粒子１０が得られる。
【００７４】
［２］活性化工程（Ｓ１０２）は、ＳＡＭ１２が有する粒子１０表面側に導入された反応性官能基（例えば、カルボキシ基）を、特異的結合物質２０が有する反応性官能基（例えば、アミノ基）と反応しやすい形に活性化する工程である。本活性化工程では、例えば、ＳＡＭ１２を構成する単分子がカルボキシ基を有する場合は、１−エチル−３−（３−ジメチルアミノプロピル）カルボジイミド（ＥＤＣ）と、Ｎ−ヒドロキシコハク酸イミド（ＮＨＳ）とにより活性エステル化される。本活性化工程では、以上のような修飾、または例示しないが、脱離等の反応を用いて反応性官能基をより反応性の高い状態に変化させる。
【００７５】
［３］固定工程（Ｓ１０３）は、例えば、以下の３つのサブステップを含む。第４サブステップは、特異的結合物質２０を粒子１０と混合する工程である。第５サブステップは、特異的結合物質２０をＳＡＭ１２に（つまり粒子１０に）固定させる工程である。第６サブステップは、ＳＡＭ１２に固定されなかった遊離状態の特異的結合物質２０を除去する工程である。
【００７６】
以下、それぞれのサブステップについて、より具体的に説明する。
【００７７】
第４サブステップでは、ステップＳ１０２で反応性官能基が活性化されたＳＡＭ１２を有する粒子１０を、特異的結合物質２０を含む溶液と混合する。
【００７８】
そして、第５サブステップでは、ＳＡＭ１２が有する活性化された反応性官能基と、特異的結合物質２０が有する反応性官能基とを反応させて、ＳＡＭ１２上に特異的結合物質２０を固定させる。特異的結合物質２０は、アミド結合によりＳＡＭ１２上に固定される。
【００７９】
次いで、第６サブステップでは、ＳＡＭ１２上に固定されなかった遊離状態の特異的結合物質２０を除去する。より具体的には、例えば、リン酸緩衝生理食塩液（ＰＢＳ）などの緩衝液を用いて、固定された反応性官能基どうしが分解されない環境を維持し、外液交換等の方法により遊離状態の分子を除去する。これにより、特異的結合物質２０が粒子１０の表面に固定された修飾粒子１００を得ることができる。
【００８０】
［４］糖固定工程（Ｓ１０４）は、例えば、上記の固定工程に準じるサブステップを含む。つまり、特異的結合物質２０に替えてアミノ糖分子３０を固定する、第４サブステップ〜第６サブステップに対応するサブステップを含む。
【００８１】
ここで、図２の（ｂ）に示すように、固定工程と糖固定工程とは、並行して行ってもよい。より具体的には、活性化工程において、反応性官能基を活性化させた後、活性化された粒子１０、および特異的結合物質２０とアミノ糖分子３０とを含む溶液を混合する。これにより第５サブステップ、および糖固定工程における第５サブステップに対応するサブステップをまとめて、１つの工程（Ｓ１０６）として実施する。
【００８２】
つまり本製造方法では、特異的結合物質２０とアミノ糖分子３０とを含む溶液と、反応性官能基が活性化された粒子１０とを混合し、粒子１０の表面に形成されたＳＡＭ１２に特異的結合物質２０を固定する固定工程（Ｓ１０３）、およびアミノ糖分子３０を固定する糖固定工程（Ｓ１０４）を並行して実施することもできる。
【００８３】
なお、修飾粒子１００の製造方法は、さらに、［５］ブロッキング工程（Ｓ１０５）を含んでもよい。ブロッキング工程では、前述したように被検出物質を含み得る試料中の夾雑物などが粒子１０の表面に非特異的吸着することを阻害するエタノールアミン４０（ブロッキング剤）により粒子１０の表面を被覆させる処理を行う。
【００８４】
具体的には、ブロッキング工程では、エタノールアミン４０と、特異的結合物質２０、およびアミノ糖分子３０が固定された粒子１０とを混合する。これにより、試料中の夾雑物などが粒子１０の表面に非特異的吸着することを低減できる、エタノールアミン４０を含む修飾粒子１００が得られる。
【００８５】
さらに、特異的結合物質２０とアミノ糖分子３０とを含む溶液にブロッキング剤を添加した溶液を調製し、当該溶液に反応性官能基が活性化された粒子１０を入れて混合してもよい。これにより、固定工程、糖固定工程、およびブロッキング工程を１つの工程として一緒に行うこともできる。したがって、さらに製造工程をまとめて、修飾粒子１００の製造における工数を削減することもできる。
【００８６】
［検出装置の構成］
図３は、本実施の形態に係る検出装置５０の一例を示す概略構成図である。
【００８７】
図３に示すように、検出装置５０は、修飾粒子１００を収容する収容部と、修飾粒子１００が特異的に結合する被検出物質を含み得る試料を収容部に導入する導入部と、修飾粒子１００が結合した被検出物質の量に基づく検出信号を出力する検出器と、を備える。
【００８８】
より詳しくは、修飾粒子１００を収容するセル５１（収容部の一例）と、光源５４と、引き寄せ磁場印加部５６と、掃引磁場印加部５７と、２次元画像検出部５８（検出器の一例）と、を備える。セル５１は、検出板５２と、カバー５３とによって画成される空間を有し、当該空間に対向する検出板５２の表面と反対側の表面にはプリズム５５が接合されている。ここで、セル５１の空間は、例えばカバー５３が開閉すること等により外部とアクセス可能に構成される。つまりこのような例においては、カバー５３が導入部として機能する。
【００８９】
なお、セル５１に被検出物質を含み得る試料を導入できる連通孔（図示しない）を有する構成であってもよく、このような例においては、当該連通孔が導入部として機能する。したがって、被検出物質を含み得る試料を導入できれば、導入部は、検出装置５０のいずれの構成要素に備えられてもよい。
【００９０】
以下ではさらに、検出装置５０を構成する各構成要素について詳細に説明する。本実施の形態において説明する検出装置５０は、外力支援型近接場照明（ＥＦＡ−ＮＩ）と呼ばれる検出方法により被検出物質の検出を行う装置を一例として示している。
【００９１】
ここで、検出装置５０を用いた被検出物質の検出においては、少なくとも２種類の修飾粒子１００を用いる。このような粒子について図４を用いて説明する。図４は、検出装置５０に用いられる際の修飾粒子について説明する図である。図４の修飾粒子１００は、図１と同様に一部が図示を省略された断面図で示されている。
【００９２】
図４に示すように、検出装置５０では被検出物質５９を検出する際、基材１１ａが蛍光体Ｆを含む修飾粒子（つまり第１粒子１００ａ）と、基材１１ｂが常磁性体Ｍを含む修飾粒子（つまり第２粒子１００ｂ）とを用いる。第１粒子１００ａは、特異的結合物質２０ａを介して被検出物質５９に結合する。また、第２粒子１００ｂは同様に、特異的結合物質２０ｂを介して被検出物質５９に結合する。ここで、特異的結合物質２０ａと特異的結合物質２０ｂとは、被検出物質５９の異なる箇所に結合する。
【００９３】
例えば、被検出物質５９がウイルスの外郭タンパク質などの繰り返し構造を有する分子である場合、特異的結合物質２０ａと特異的結合物質２０ｂとは分子内の同一箇所に結合してもよい。より詳しくは、繰り返し構造のうちの一つの結合箇所に特異的結合物質２０ａが結合しても、同一の結合箇所は繰り返し構造の中に複数存在するため、同時に特異的結合物質２０ｂが結合することが可能である。
【００９４】
一方、被検出物質５９が単一のタンパク質等の、同一の結合箇所をもたない単一分子である場合、特異的結合物質２０ａと特異的結合物質２０ｂとは、被検出物質５９の分子内で異なる箇所に結合する必要がある。よって、特異的結合物質２０ａと特異的結合物質２０ｂとは、対象とする被検出物質５９の種類に応じて、特に被検出物質５９に対する結合箇所が同一の構造、または異なる構造を有するように修飾粒子を設計する必要がある。
【００９５】
以上に留意して設計された２種類の修飾粒子（第１粒子１００ａ、および第２粒子１００ｂ）は、被検出物質５９に結合することで粒子複合体１００ｃを形成する。
【００９６】
図３に戻り、第１粒子１００ａ、第２粒子１００ｂ、および被検出物質５９がセル５１の空間内に導入され、このうち一部が粒子複合体１００ｃを形成している様子が示されている。
【００９７】
セル５１は、前述したように板状の部材である検出板５２によって画成される。したがって検出板５２の一方の主面５２ａはセル５１の空間に面する。また検出板５２の他方の主面５２ｂは、プリズム５５に面し、互いに接合されている。ここで、検出板５２には、他方の主面５２ｂ側から励起光５４Ｌが照射される。励起光５４Ｌは透光性のプリズム５５内を透過し、さらに検出板５２の他方の主面５２ｂに入射される。検出板５２の他方の主面５２ｂに入射された励起光５４Ｌは検出板５２内を透過し、検出板５２の一方の主面５２ａで反射される。このように、検出板５２、プリズム５５、および励起光５４Ｌを照射する光源５４は、検出板５２の一方の主面５２ａで励起光５４Ｌが全反射されるような条件で配置、屈折率、および界面形状等の設計がなされている。
【００９８】
励起光５４Ｌは、上記のように検出板５２の一方の主面５２ａにおいて全反射されるが、その際セル５１の空間における検出板５２の一方の主面５２ａ付近に、エバネッセント場や増強電場等の近接場を形成する。近接場は、一方の主面５２ａ近傍のみに形成され、検出板５２の一方の主面５２ａから遠ざかるにつれて急激に減衰する性質を有するので、検出板５２の一方の主面５２ａ近傍のセル５１の空間のみを照射する。なお、検出板５２の構成としては、特に制限はなく目的に応じて適宜選択することができ、単層で構成されてもよく、電場増強を目的とした積層体で構成されてもよい。
【００９９】
光源５４は、上記のように、所定の波長の光を出射し、近接場を形成させて、セル５１の空間に照射する光照射部の一例である。光源５４としては、公知の技術を特に限定することなく利用することができる。例えば、半導体レーザ、ガスレーザ等のレーザを光源５４として利用することができる。なお、光源５４は、被検出物質５９に含まれる物質と相互作用が小さい波長の励起光（例えば、４００ｎｍ〜２０００ｎｍ）を照射することが好ましい。さらには、励起光の波長は、半導体レーザが利用できる波長４００ｎｍ〜８５０ｎｍであることが好ましい。
【０１００】
カバー５３は検出板５２の一方の主面５２ａと対向して設けられた透光性の板状部材であり、樹脂等の任意の材料を用いて構成される。カバー５３は検出板５２から所定の距離だけ離間して設けられ、当該距離に応じてセル５１の空間の容積を変化させることができる。よって、検出装置５０を適用する用途に応じて、検出板５２とカバー５３の離間距離は、適宜設定される。
【０１０１】
２次元画像検出部５８は、セル５１の空間に面するカバー５３の一方の主面と背向する面側に、カバー５３から離間して配置され、励起光５４Ｌの照射によりセル５１の空間の中で発生した光を結像させて２次元画像として検出する。
【０１０２】
引き寄せ磁場印加部５６は、セル５１の空間に、図中に二点鎖線で示す矢印の第１磁場勾配５６Ｍを発生させる。引き寄せ磁場印加部５６は、ＯＮ／ＯＦＦが切り替え可能な電磁石によって構成されるが、永久磁石を遠近させる構成であってもよい。引き寄せ磁場印加部５６によって、セル５１の空間には、第１磁場勾配５６Ｍが印加され、セル５１の空間内に存在する常磁性体が検出板５２の鉛直方向におけるプリズム５５側に向けて引き寄せられる。
【０１０３】
掃引磁場印加部５７は、セル５１の空間に、図中に二点鎖線で示す矢印の第２磁場勾配５７Ｍを発生させる。掃引磁場印加部５７は、引き寄せ磁場印加部５６と同様に電磁石によって構成されるが、永久磁石を遠近させる構成であってもよい。掃引磁場印加部５７によってセル５１の空間には第２磁場勾配５７Ｍが印加され、セル５１の空間内に存在する常磁性体が検出板５２と平行方向における光源５４側に向けて引き寄せられる。なお、掃引磁場印加部５７は、検出板５２と平行方向のいずれの箇所に配置されていてもよく、以下では、一例として上記の配置を用いて説明する。
【０１０４】
以上の引き寄せ磁場印加部５６、および掃引磁場印加部５７はつまり、セル５１の空間に磁場を印加する磁場印加部の一例である。
【０１０５】
［被検出物質の検出方法］
続いて、以上のように構成された本実施の形態に係る検出装置５０を用いて被検出物質５９を検出する方法について図５を用いて説明する。図５は、本実施の形態の検出装置５０から出力された２次元画像模式的に説明する図である。
【０１０６】
セル５１の空間は、第１粒子１００ａ、および第２粒子１００ｂをあらかじめ収容している。
【０１０７】
ここに被検出物質５９を含み得る試料を導入する。試料に含まれる被検出物質５９は、セル５１の空間内において、第１粒子１００ａ、および第２粒子１００ｂと結合し、粒子複合体１００ｃを形成する。
【０１０８】
ここで、第１粒子１００ａ、および第２粒子１００ｂは、アミノ糖分子３０がそれぞれの表面に固定された粒子である。このような構成により、第１粒子１００ａ、および第２粒子１００ｂは検出板５２に吸着すること、および第１粒子１００ａと第２粒子１００ｂとが相互に吸着することが抑制される。例えば、第１粒子１００ａが検出板５２に吸着した際には、後述するが、近接場によって照射されてしまい背景光が上昇するため検出感度が低下する。また例えば、第１粒子１００ａと第２粒子１００ｂとが相互に吸着した際には、被検出物質５９と結合していないにも関わらず、粒子複合体１００ｃと同様に振る舞うため、被検出物質５９の計数における誤差要因になる。
【０１０９】
したがって、第１粒子１００ａ、および第２粒子１００ｂにアミノ糖分子３０が固定されていることにより、このような検出感度の低下、および誤差要因を低減することができる。
【０１１０】
粒子複合体１００ｃは、第２粒子１００ｂを含むため、基材１１ｂに含まれた常磁性体Ｍは、印加された磁場によって引き寄せられる。このため、引き寄せ磁場印加部５６によって第１磁場勾配５６Ｍセル５１の空間に印加された際、粒子複合体１００ｃは、検出板５２に略接する状態に引き寄せられる。また、セル５１の空間内に存在する粒子複合体１００ｃを形成していない第２粒子１００ｂも同様に検出板５２に略接する状態に引き寄せられる。一方、粒子複合体１００ｃを形成していない第１粒子１００ａは、常磁性体Ｍを有さないため、元の状態から引き寄せられない。
【０１１１】
ここで、光源５４から励起光５４Ｌが出射されると、前述したように検出板５２の一方の主面５２ａ付近に近接場が形成される。粒子複合体１００ｃは、第１粒子１００ａに結合しているため、基材１１ａに含まれた蛍光体Ｆを励起する波長の光が照射された際に蛍光を発する。つまり、近接場が蛍光体Ｆの励起波長を有する光であれば、粒子複合体１００ｃは蛍光を発する。なお、粒子複合体１００ｃを形成していない第１粒子１００ａも同様に近接場によって照射された際に蛍光を発する。
【０１１２】
ただし、近接場は検出板５２の一方の主面５２ａの近傍にのみ形成される。つまり、第１粒子１００ａのうち、検出板５２に略接する状態にある第１粒子１００ａが蛍光を発することができる。第１粒子１００ａは常磁性体Ｍをもたないため、このように近接場によって照射される第１粒子１００ａは全体のうちごく一部のみである。
【０１１３】
以上により、セル５１の空間内では、粒子複合体１００ｃ、および第１粒子１００ａの一部が蛍光を発している。
【０１１４】
ここで図５は、上記の状況において２次元画像検出部５８により出力された２次元画像５８Ｒを示すものである。出力された２次元画像５８Ｒには、粒子複合体１００ｃの発した蛍光に由来する光点Ｐ１００ｃ、および第１粒子１００ａの発した蛍光に由来する光点Ｐ１００ａが示されている。
【０１１５】
ここでは光点Ｐ１００ｃと光点Ｐ１００ａとを区別することはできない。そこで、掃引磁場印加部５７によって第２磁場勾配５７Ｍをセル５１の空間に印加する。この際、上記のような２次元画像５８Ｒを連続的に出力させると、第２磁場勾配５７Ｍによって生じる変化が２次元動画像として得られる。
【０１１６】
前述したように、粒子複合体１００ｃは常磁性体Ｍを有するため第２磁場勾配５７Ｍによって引き寄せられるが、第１粒子１００ａは、常磁性体Ｍを有さないため、その場にとどまる。よって得られる２次元動画像には、図５中に矢印で示すような光点Ｐ１００ｃの移動がみられる。一方でこのような移動は光点Ｐ１００ａには見られず、この差によって粒子複合体１００ｃと第１粒子１００ａとを区別して計数することができる。
【０１１７】
よって２次元画像検出部５８は、第１粒子１００ａ、および第２粒子１００ｂが結合した被検出物質５９（つまり粒子複合体１００ｃ）を、第１磁場勾配５６Ｍ、および第２磁場勾配５７Ｍにより移動させた際に、所定の波長の近接場によって蛍光体Ｆから発せられた蛍光に基づき、被検出物質５９を計数可能な２次元画像５８Ｒを出力する。つまりここでは、２次元画像５８Ｒは、被検出物質５９の量に基づく検出信号の一例である。
【０１１８】
なお、このような光点の計数を、２次元画像検出部５８から出力される２次元画像５８Ｒを画像認識することによって自動で行う構成であってもよい。
【０１１９】
（実施例）
以下、実施例にて本開示の修飾粒子を具体的に説明するが、本開示は以下の実施例のみに何ら限定されるものではない。
【０１２０】
［実施例］
実施例では、特異的結合物質として、Ａ型インフルエンザウイルスの核タンパク（ＮＰ：Ｎｕｃｌｅｏｐｒｏｔｅｉｎ）を抗原とする抗体を用いた。また、アミノ糖は、グルコサミンを用いた。なお、本実施例では、修飾粒子の製造方法として図２の（ｂ）に示す方法を用い、特異的結合物質、および糖を一工程で結合させる方法をとった。
【０１２１】
まず、（ｉ）ＳＡＭを形成させた粒子を、遠心分離により２５ｍＭのＭＥＳ（２−ｍｏｒｐｈｏｌｉｎｏｅｔｈａｎｅｓｕｌｆｏｎｉｃａｃｉｄ）緩衝生理食塩水中に粒子終濃度１ｍｇ／ｍＬとなるよう外液交換を行った後、もう一度遠心分離により外液画分を廃棄した。
【０１２２】
（ｉｉ）各々５０ｍｇ／ｍＬのＮＨＳ（Ｎ−Ｈｙｄｒｏｘｙｓｕｃｃｉｎｉｍｉｄｅ）、およびＥＤＣ（１−（３−Ｄｉｍｅｔｈｙｌａｍｉｎｏｐｒｏｐｙｌ）−３−ｅｔｈｙｌｃａｒｂｏｄｉｉｍｉｄｅｈｙｄｒｏｃｈｌｏｒｉｄｅ）を含むＭＥＳ緩衝生理食塩水を６０μＬ添加し静置した。その後、遠心分離により外液画分を廃棄した。
【０１２３】
（ｉｉｉ）これに、０．５ｍｇ／ｍＬの抗体と、１％グルコサミンを含む２５ｍＭ酢酸緩衝液を１００μＬ添加し、反応させた。これにより、ＳＡＭ上に抗体、およびグルコサミンを固定した。その後、遠心分離により外液画分を廃棄した。
【０１２４】
（ｉｖ）０．１％のＮＰ−４０（Ｎｏｎｉｄｅｔ  Ｐ−４０）を含む、１Ｍエタノールアミン溶液を２４０μＬ添加し、反応させた。
【０１２５】
（ｖ）さらに、遠心分離により外液画分を廃棄し、５０ｍＭの塩化カリウム、１ｍＭのＥＤＴＡ（Ｅｔｈｙｌｅｎｅｄｉａｍｉｎｅｔｅｔｒａａｃｅｔｉｃ  ａｃｉｄ）、および１０％グリセリンを含む、１０ｍＭのＨＥＰＥＳ（４−（２−ｈｙｄｒｏｘｙｅｔｈｙｌ）−１−ｐｉｐｅｒａｚｉｎｅｅｔｈａｎｅｓｕｌｆｏｎｉｃ  ａｃｉｄ）溶液を２００μＬ添加した。これを遠心分離により外液画分を廃棄する操作を行った後、同溶液を１００μＬ添加した。
【０１２６】
以上の工程により実施例に係る修飾粒子が得られた。実施例に係る修飾粒子は、粒子と、抗体と、グルコサミンと、エタノールアミンとを有する。
【０１２７】
また、以下では３つの比較例に係る修飾粒子を製造する方法を示す。
【０１２８】
［比較例１］
上記実施例に係る修飾粒子の製造方法の各工程のうち、（ｉｉｉ）、および（ｉｖ）の工程を実施しないこと以外は、実施例と同様に行った。これにより、比較例１に係る修飾粒子が得られた。比較例１に係る修飾粒子は、粒子と、抗体とを有し、実施例に係る修飾粒子と比較してグルコサミン、およびエタノールアミンを有しない点で異なっている。
【０１２９】
［比較例２］
上記実施例に係る修飾粒子の製造方法の各工程のうち、（ｉｉｉ）の工程において、１％グルコサミンを添加しないこと以外は、実施例と同様に行った。これにより、比較例２に係る修飾粒子が得られた。比較例２に係る修飾粒子は、粒子と、抗体と、エタノールアミンとを有し、実施例に係る修飾粒子と比較してグルコサミンを有しない点で異なっている。
【０１３０】
［比較例３］
上記実施例に係る修飾粒子の製造方法の各工程のうち、（ｉｉｉ）の工程において、１％グルコサミンの代わりに、１％トレハロースを添加したこと以外は、実施例１と同様に行った。これにより、比較例３に係る修飾粒子が得られた。比較例３に係る修飾粒子は、粒子と、抗体と、エタノールアミンとを有し、さらに結合を形成しないトレハロースが修飾粒子の周囲に存在する。したがって、実施例に係る修飾粒子と比較してグルコサミンを有せず、トレハロースが周囲に存在する点で異なっている。
【０１３１】
［非特異的吸着の評価］
次に図６を用いて、実施例における修飾粒子を用いた、非特異的吸着の評価について説明する。図６は、実施例に係る修飾粒子の吸着試験の試験方法について説明する図である。
【０１３２】
図６の（ａ）は、非特異的吸着を評価するための試験方法を示す模式図である。本試験方法では、９６穴プレートの底面６０に対してあらかじめヒト血清アルブミン（ＨＳＡ６１）を固定化し、固定化したＨＳＡ６１に対して修飾粒子が吸着する量を検出することで非特異的吸着の度合いを、比較例に係る修飾粒子と比較する。
【０１３３】
なお、試験方法の詳細については以下のとおり実施した。まず、９６穴プレートの底面６０に対して、３．２μＭのＨＳＡ６１、および０．５％Ｔｗｅｅｎ（登録商標）２０を含むリン酸緩衝生理食塩液をウェルごとに５０μＬ添加し、４℃において終夜反応させ、ＨＳＡ６１を固定化させた。その後、ＨＳＡ６１、および０．５％Ｔｗｅｅｎ（登録商標）２０を含むリン酸緩衝生理食塩液を廃棄した。ここで基材が蛍光体を含む修飾粒子を用い、粒子終濃度が７×１０９個／ｍＬである修飾粒子液をウェルごとに５０μＬ添加した。その後、室温において６０分間反応させ、当該修飾粒子液を廃棄した。
【０１３４】
さらに、０．０５％Ｔｗｅｅｎ（登録商標）２０を含むリン酸緩衝生理食塩液をウェルごとに２００μＬ添加して廃棄する処理を３回行い、各ウェルを洗浄した。ＨＳＡ６１に結合し、残留している修飾粒子を蛍光により（励起波長：５３２ｎｍ、および蛍光波長：５６８ｎｍの条件で）測定し、実施例、および比較例１〜３の蛍光強度を比較した。なお、実施例、および比較例１〜３は、各々４ウェルについて試験を行った（ｎ＝４）。
【０１３５】
したがって、ＨＳＡ６１への吸着（非特異的吸着）が低減されるほど蛍光強度は低くなるため、本吸着試験では、蛍光強度が低いほど被検出物質に対する検出感度が高いことを示している。
【０１３６】
なお、図６の（ａ）中の符合１００ｍで示す修飾粒子は、実施例に係る修飾粒子、および比較例１〜３に係る修飾粒子のうち、いずれか１種を示している。
【０１３７】
ここで、修飾粒子１００ｍのうち、破線の矩形で示す修飾箇所ｍには、図６の（ｂ）に示すように、実施例に係る修飾粒子、および比較例１〜３に係る修飾粒子のいずれであるかによって、異なる分子が含まれる。比較例１に係る修飾粒子は、修飾箇所ｍには、いずれの分子も入らず、前述したように抗体のみを有する。
【０１３８】
比較例２に係る修飾粒子は、修飾箇所ｍには、図６の（ｂ）の１に示すようにエタノールアミンが含まれる。当該エタノールアミンは、図６では省略して示すが、ＳＡＭに固定されている。
【０１３９】
また、比較例３に係る修飾粒子は、修飾箇所ｍには、図６の（ｂ）の２に示すようにトレハロース、およびエタノールアミンが含まれる。ここで、エタノールアミンは、比較例１と同様に、ＳＡＭに固定されているが、トレハロースは固定されておらず、修飾粒子の周囲に存在している。
【０１４０】
また、実施例に係る修飾粒子は、修飾箇所ｍには、図６の（ｂ）の３に示すようにグルコサミン、およびエタノールアミンが含まれる。ここで、グルコサミン、およびエタノールアミンはいずれもＳＡＭに固定されている。
【０１４１】
次に、図７を用いて、本吸着試験の試験結果を示す。図７は、実施例に係る修飾粒子の吸着試験の結果について説明する図である。
【０１４２】
図７では、縦軸に相対蛍光強度、横軸に各修飾粒子（比較例１、比較例２、比較例３、および実施例）を並べて示している。各棒グラフはｎ＝４の平均値を示し、エラーバーにより各測定における誤差を併せて示している。
【０１４３】
図７に示すように、抗体のみを有する比較例１に係る修飾粒子が最も蛍光強度が高く、比較例１に係る修飾粒子よりも比較例２に係る修飾粒子の方が、蛍光強度が低くなることが示されている。つまりエタノールアミンを導入することによる非特異的吸着の抑制効果が確認された。さらに比較例２と実施例とを比較すると、実施例に係る修飾粒子の方が、大幅に蛍光強度が低く、グルコサミンを固定することによる非特異的吸着の抑制効果が確認された。
【０１４４】
一方で比較例３に係る修飾粒子は、比較例２と同等の蛍光強度を示し、エタノールアミンを導入することによる非特異的吸着の抑制効果しか得られていないことがわかった。これは、トレハロースが結合していない状態にあり、洗浄によってトレハロースが除去されたためと考えられる。なお、比較例３における誤差が大きかった原因として、トレハロースの粘度の高さにより、洗浄によっても除去されずに残留したトレハロース分子があったためと考えられる。
【０１４５】
以上により、アミド結合によってアミノ糖分子を結合させることにより、非特異的吸着の抑制効果が向上する結果が得られた。したがって、アミド糖分子のアミド結合により被検出物質の検出が高感度化できることが示された。
【０１４６】
以上、本開示に係る修飾粒子、修飾粒子の製造方法、および検出装置について、実施の形態および実施例に基づいて説明したが、本開示は、これらの実施の形態および実施例に限定されるものではない。本開示の主旨を逸脱しない限り、当業者が思いつく各種変形を実施の形態および実施例に施したものや、実施の形態および実施例における一部の構成要素を組み合わせて構築される別の形態も、本開示の範囲に含まれる。
【０１４７】
なお、本開示に係る修飾粒子、修飾粒子の製造方法、および検出装置は、例えば空気中に浮遊するウイルスを検出する検出システムに利用されてもよい。
【０１４８】
以下ではさらに、他の実施の形態について説明する。
【０１４９】
（他の実施の形態）
実施の形態では、修飾粒子１００は有機膜としてＳＡＭ１２を有する構成を説明したが、特異的結合物質２０、およびアミノ糖分子３０が結合可能な基材１１であればＳＡＭ１２を備える必要はない。これは例えば基材１１に反応性官能基を備える樹脂を用いる、または表面に金属を形成させた基材１１を用いる等の方法がある。
【０１５０】
また、エタノールアミン４０で例示したブロッキング剤により粒子１０の表面の有機膜を少なくとも一部覆う構成を説明したが、ブロッキング剤を備えなくてもよく、エタノールアミン４０ではないブロッキング剤を用いてもよい。
【０１５１】
また、有機膜としてＳＡＭ１２を用いる構成を説明したが、ＳＡＭ１２ではない有機膜を用いてもよい。
【０１５２】
また、基材１１は蛍光体Ｆ、および常磁性体Ｍを含んでもよく、含まなくてもよい。検出方法に適した性質を有する物質を任意に含有させた基材１１を用いて修飾粒子１００を構成してもよい。また、修飾粒子１００は、色素を含んでいてもよく、この場合、イムノクロマトグラフィーにおける標識粒子としても用いられる。
【０１５３】
また、修飾粒子１００は、実施の形態に示したような検出装置５０に応用可能であるが、修飾粒子１００を用いた被検出物質５９の検出装置はこれに限られない。例えば、修飾粒子１００の基材としてポリスチレン等の誘電体を用い、被検出物質５９と結合した修飾粒子のみを誘電泳動法を用いて分離し、検出する検出装置であってもよい。
【０１５４】
例えば、層流を用いて修飾粒子１００を一個ずつ検出流路に通流させるフローサイトメータに適用してもよい。また例えば、緑色蛍光タンパク質を分割し、分割された部分のそれぞれが会合することで蛍光性を発現する物質を、２つの修飾粒子にそれぞれ結合させ、被検出物質５９にこれらの修飾粒子が２つともに結合した際にのみ蛍光性を発現する系を構築する。このような系を分光光度計と組み合わせることで検出装置を構成してもよい。また、上記の光学系をハイスループット処理可能な検出アレイとして検出装置を実現してもよい。
【０１５５】
また、上記実施の形態、および実施例において、粒子１０は細胞ではなかったが、これに限定されない。技術の進歩または派生する別技術により、新たな粒子が登場すれば、当然、その粒子を用いて修飾粒子１００を構成してもよい。バイオ技術の適用等が可能性としてありえ、この場合、粒子１０は細胞等であってもよい。
【産業上の利用可能性】
【０１５６】
本開示は、液中での高い保存安定性を有し、研究用、医療用および環境測定用のバイオセンサ等に適用できる点で有用である。また、本開示に係る修飾粒子および当該修飾粒子を用いた検出装置は、非競合法（サンドイッチイムノアッセイ法）だけでなく、競合法、ハイブリダイゼーションによる遺伝子検出法にも適用可能である。
【符号の説明】
【０１５７】
１０  粒子
１１、１１ａ、１１ｂ  基材
１２  ＳＡＭ
２０、２０ａ、２０ｂ  特異的結合物質
３０  アミノ糖分子
４０  エタノールアミン
５０  検出装置
５１  セル
５２  検出板
５２ａ  一方の主面
５２ｂ  他方の主面
５３  カバー
５４  光源
５４Ｌ  励起光
５５  プリズム
５６  引き寄せ磁場印加部
５６Ｍ  第１磁場勾配
５７  掃引磁場印加部
５７Ｍ  第２磁場勾配
５８  ２次元画像検出部
５８Ｒ  ２次元画像
５９  被検出物質
６０  ９６穴プレートの底面
６１  ＨＳＡ
１００、１００ｍ  修飾粒子
１００ａ  第１粒子
１００ｂ  第２粒子
１００ｃ  粒子複合体
Ｆ  蛍光体
Ｍ  常磁性体
ｍ  修飾箇所
Ｐ１００ａ、Ｐ１００ｃ  光点
【図１】
2020129404.tif 000003
【図２】
2020129404.tif 000004
【図３】
2020129404.tif 000005
【図４】
2020129404.tif 000006
【図５】
2020129404.tif 000007
【図６】
2020129404.tif 000008
【図７】
2020129404.tif 000009
【国際調査報告】
2020129404.tif 000010
2020129404.tif 000011
2020129404.tif 000012
2020129404.tif 000013
2020129404.tif 000014
2020129404.tif 000015